(57)【要約】【課題】場所を取らず簡単な構造により、開口部から離れた筐体の残りの上面全域に滴下する水滴が上面上を移動して開口部側に至ることを阻止し、水滴の開口部内への侵入を阻止する。【解決手段】水滴が開口部１６から離れた筐体１０の上面１００２に滴下した場合で、走行時の車両の振動により水滴が上面１００２上でコネクタ配置面１００６側に移動しようとした場合、あるいは、車両の加速時、水滴が上面１００２上でコネクタ配置面１００６側に移動しようとした場合、水滴は、段差部２８Ａにより上面１００２上で開口部１６の両側方に導かれ、次いで、筐体１０の左右の側面１００８、１０１０に沿って下方に導かれ、開口部１６から離れた筐体１０の下面１００４の箇所から滴下する。【選択図】図１
2020161624.tif 000002
【特許請求の範囲】
【請求項１】
電子制御ユニットを収容する筐体の一側面に、前記電子制御ユニットのコネクタが配置される開口部が設けられたコネクタ配置面を有する電子制御ユニット収容用の筐体であって、
前記コネクタ配置面の上縁と接する上面と、
前記上面及び前記コネクタ配置面と接する側面と、
前記上面に対向するとともに前記側面及び前記コネクタ配置面に接する下面と、
前記上面から上方に膨出して形成され、前記上縁まで延在する膨出部と、
前記上面と前記膨出部とを接続する段差部と、を備え、
前記段差部は前記側面まで延在するとともに前記側面を前記下面まで延在する
ことを特徴とする電子制御ユニット収容用の筐体。
【請求項２】
前記段差部は、前記筐体を上方から平面視した場合に、前記上縁から遠ざかるにつれて細くなるよう形成される
ことを特徴とする請求項１に記載の電子制御ユニット収容用の筐体。
【請求項３】
前記段差部は、前記上縁の中央で前記上縁に対して直交する仮想線上に頂点を有する
ことを特徴とする請求項２に記載の電子制御ユニット収容用の筐体。
【請求項４】
前記段差部は、前記上縁の両端部に向けて延在する
ことを特徴とする請求項１から３のいずれか１項に記載の電子制御ユニット収容用の筐体。
【請求項５】
前記段差部は、前記側面の下方端から前記下面に連続して形成されて、前記下面から下方に突設された突起を有する
ことを特徴とする請求項１から４の何れか１項記載の電子制御ユニット収容用の筐体。
【発明の詳細な説明】
【技術分野】
【０００１】
本発明は、電子制御ユニット収容用の筐体に関する。
【背景技術】
【０００２】
多くの車両では、運転席と助手席の間にコンソールボックスが車両用物品収容装置として設けられている。
コンソールボックスが設けられた車両では、乗員は、小物類を収容し、あるいは、ペットボトルや缶などの飲料用容器を載置するなどしてコンソールボックスを使用している。
一方、車両には、エンジンあるいは走行用モータを駆動するインバータなどの駆動系装置、あるいは、センサやアクチュエータなどの各種電装部品、あるいは、ナビゲーションシステムなどの電子機器とケーブルを介して接続され、それら駆動系装置、電装部品、電子機器の制御を行ない、あるいは、ケーブルを介して接続された他の電子制御ユニット（ＥＣＵ）と通信を行なう電子制御ユニット（ＥＣＵ）が設けられている。
この電子制御ユニットは筐体に収容されて車両に搭載されている。
電子制御ユニットは、回路基板と、回路基板に実装されたＣＰＵなどの電子部品と、回路基板に設けられケーブルと接続される複数のコネクタなどを含んで構成され、筐体には、コネクタを露出させる開口部が設けられている。
このような電子制御ユニット収容用の筐体がコンソールボックスの内部に設けられる場合がある。
【先行技術文献】
【特許文献】
【０００３】
【特許文献１】特開２０１４−２２９７４５号公報
【発明の概要】
【発明が解決しようとする課題】
【０００４】
しかしながら、コンソールボックスは、複数の部品が組み付けられることで構成されており、それら部品同士の間に隙間が形成されていることから、例えば、飲料用容器の飲み物をコンソールボックス上にこぼした場合、こぼれた飲み物が隙間を介してコンソールボックス内部に侵入し、その水滴が筐体上に滴下されることが想定される。
あるいは、空調装置から車室内へ空調風を導くダクトがコンソールボックス内で筐体の上方を通って配置される場合、冷房時に低温となったダクトの表面に結露が生じると、水滴となって筐体上に滴下されることが想定される。
このような水滴が開口部から筐体内部に侵入し、回路基板や電子部品に触れるとショートが発生し、電子制御ユニットの動作に支障が生じることが懸念される。
そのため、電子制御ユニットの上方に、水滴を開口部上に滴下させないための何らかの対策をとることができるものの、開口部から離れた筐体の残りの上面全域に滴下する水滴が上面上を移動して開口部側に至らないようにする対策については、コンソールボックスの内部は狭いスペースであるため、簡単に行なうことができないのが現状である。
本発明は、前記事情に鑑み案出されたものであり、場所を取らず簡単な構造により、開口部から離れた筐体の残りの上面全域に滴下する水滴が上面上を移動して開口部側に至ることを阻止し、水滴の開口部内への侵入を阻止できる電子制御ユニット収容用の筐体を提供することにある。
【課題を解決するための手段】
【０００５】
上述した目的を達成するために、本発明は、電子制御ユニットを収容する筐体の一側面に、前記電子制御ユニットのコネクタが配置される開口部が設けられたコネクタ配置面を有する電子制御ユニット収容用の筐体であって、前記コネクタ配置面の上縁と接する上面と、前記上面及び前記コネクタ配置面と接する側面と、前記上面に対向するとともに前記側面及び前記コネクタ配置面に接する下面と、前記上面から上方に膨出して形成され、前記上縁まで延在する膨出部と、前記上面と前記膨出部とを接続する段差部とを備え、前記段差部は前記側面まで延在するとともに前記側面を前記下面まで延在することを特徴とする。
【発明の効果】
【０００６】
本発明によれば、開口部から離れた筐体の上面に滴下した水滴は、段差部により上面上で筐体の側面方向に導かれ、筐体の側面から下方に案内され、開口部から離れた箇所で筐体の下面から下方に滴下する。
したがって、開口部から離れた筐体の上面に滴下した水滴が、上面上を移動して開口部に至ることを阻止し、水滴の開口部内への侵入を阻止できる。
そして、本発明は、膨出部と段差部とを筐体に設けた簡単な構成で場所も取らないため、例えば、コンソールボックスの内部の狭いスペースに筐体が配置される場合であっても、本発明を簡単に適用でき、開口部から離れた筐体の上面に滴下した水滴が上面上を移動して開口部に至ることを阻止し、水滴の開口部内への侵入を阻止できる。
【図面の簡単な説明】
【０００７】
【図１】本実施の形態に係る電子制御ユニット収容用の筐体の斜視図である。
【図２】（Ａ）は本実施の形態に係る電子制御ユニット収容用の筐体の平面図、（Ｂ）は側面図である。
【図３】（Ａ）は筐体の底面図で、下面用案内部を下方から見た図、（Ｂ）は筐体の側面図で、下面用案内部を側方から見た図、（Ｃ）は筐体の底面図で、別の形態の下面用案内部を下方から見た図、（Ｄ）は筐体の側面図で、下面用案内部を側方から見た図である。
【発明を実施するための形態】
【０００８】
以下、本実施の形態を図面を参照して説明する。
なお、以下の図面において符号ＦＲは車両前方を示し、符号ＵＰは車両上方を示し、符号ＨＬは車幅方向を示す。
図１に示すように、本実施の形態の電子制御ユニット収容用の筐体１０は、車両に搭載される電子制御ユニット１２を収容するものであり、電子制御ユニット１２は、ケーブルと接続される複数のコネクタ１４を含んで構成されている。
本実施の形態では、電子制御ユニット収容用の筐体１０は、運転席と助手席の間で車両の前後方向に延在する車両用物品収容装置であるコンソールボックスの内部に配置されている。
筐体１０は偏平な矩形板状を呈し、上面１００２、下面１００４、それら上面１００２、下面１００４を接続する前側面、一対の左右の側面１００８、１０１０、後側面１０１２の４つの側面を有している。
前側面はコネクタ配置面１００６として形成され、コネクタ配置面１００６の上縁１００６Ａと上面１００２とは接しており、一対の左右の側面１００８、１０１０は、上面１００２とコネクタ配置面１００６に交差し接している。
また、下面１００４は、上面１００２に対向すると共に一対の左右の側面１００８、１０１０およびコネクタ配置面１００６に交差し接している。
筐体１０は上面１００２および下面１００４をほぼ水平にし、コネクタ配置面１００６を車両後方に向け、後側面１０１２を車両前方に向けてコンソールボックスの内部に配置されている。
【０００９】
筐体１０のコネクタ配置面１００６にコネクタ１４を露出させる開口部１６が設けられている。
開口部１６は、上下方向の高さよりも水平方向の長さが大きい細長状を呈している。
開口部１６は、コネクタ配置面１００６から矩形枠状に突出されたフランジ１８の内側に形成され、フランジ１８の内側に複数のコネクタ１４がコネクタ配置面１００６の長手方向に並べられて配置されている。
このフランジ１８は、コネクタ１４の保護を図ると同時に、水滴のコネクタ１４への滴下を阻止し、水滴の開口部１６内への侵入を阻止するものでもある。
本実施の形態では、コネクタ配置面１００６の長手方向に並べられた複数のコネクタ１４の中心と、開口部１６の長手方向の中心と、フランジ１８の長手方向の中心と、コネクタ配置面１００６の長手方向の中心とは合致している。
【００１０】
図１、図２に示すように、筐体１０は、筐体１０の上面１００２に滴下した水滴を開口部１６の側方に導き、筐体１０の下面１００４から水滴を下方に滴下させる水滴案内部２０を備えている。本実施の形態では、筐体１０は、筐体１０の上面１００２に滴下した水滴を開口部１６の両側方に導き、筐体１０の下面１００４から水滴を下方に滴下させる水滴案内部２０を備えている。
水滴案内部２０は、上面用案内部２２と、一対の側面用案内部２４と、一対の下面用案内部２６とを含んで構成されている。
上面用案内部２２は筐体１０の上面１００２に設けられ、筐体１０の上面１００２に滴下した水滴を、上面１００２上で開口部１６の長手方向の両側方、すなわち、コネクタ配置面１００６の長手方向の両側方に導く箇所であり、本実施の形態では、コネクタ配置面１００６の長手方向の両端に交差する左右の側面１００８、１０１０に導く箇所である。
【００１１】
図２（Ａ）に示すように、上面用案内部２２は、平面視した場合、コネクタ配置面１００６から離れる方向に凸状で、コネクタ配置面１００６の長手方向の中央を通りコネクタ配置面１００６の長手方向と直交する方向で水平方向に延在する仮想線Ｌ上にその頂点が位置するＶ字状を呈している。
言い換えると、上面用案内部２２は、上面１００２上に滴下した水滴が、左右の側面１００８、１０１０のうちのより近い方の側面に案内されるように構成されている。
上面用案内部２２は、筐体１０の上面１００２から起立し開口部１６から離れた方向に向いてＶ字状の頂点から開口部１６の両側方にそれぞれ延在する２つの上面用壁面２２０２を含んで構成されている。
２つの上面用壁面２２０２は平坦面で形成され、平面視した場合、開口部１６から離れる方向に凸状でその頂点が仮想線Ｌ上に位置するＶ字状を呈している。
２つの上面用壁面２２０２は、開口部１６が設けられた側面（本実施の形態ではコネクタ配置面１００６）の両側に直交する左右の側面１００８、１０１０に向けて水滴を案内するように設けられている。
【００１２】
一対の側面用案内部２４は、開口部１６の両側の側面に設けられ、本実施の形態では、左右の側面１００８、１０１０に設けられ、上面用案内部２２により案内された水滴をそれぞれ左右の側面１００８、１０１０に沿って下方に導く箇所である。
一対の側面用案内部２４は、左右の側面１００８、１０１０からそれぞれ起立し、上面用壁面２２０２の端部に連続し開口部１６から離れた方向に向いてそれら左右の側面１００８、１０１０の下端に延在する平坦面からなる側面用壁面２４０２を含んで構成され，したがって、側面用壁面２４０２は左右の側面１００８、１０１０に対応して一対設けられている。
【００１３】
本実施の形態では、コネクタ配置面１００６寄りの上面１００２の箇所から左右の側面１００８、１０１０の箇所にわたり上面１００２および一対の側面１００８、１０１０から膨出する膨出部２８が設けられている。
言い換えると、上面１００２から上方に膨出しコネクタ配置面１００６の上縁１００６Ａまで延在する膨出部２８が設けられている。
膨出部２８は、平面視した場合、開口部１６から離れる方向に凸状でその頂点が仮想線Ｌ上に位置するＶ字状を呈している。
膨出部２８は、上面１００２に設けられた上部３０と、一対の側面１００８、１０１０にそれぞれ設けられた側部３２とを有している。
上部３０は、上面１００２からの高さが均一の寸法で形成され、したがって、上部３０の上面３００２は筐体１０の上面１００２と平行する平坦面で形成されている。
側部３２は、左右の側面１００８、１０１０からの高さが均一の寸法でそれぞれ形成され、したがって、側部３２が側方を向いた側面３２０２は左右の側面１００８、１０１０と平行する平坦面で形成されている。
なお、側部３２が左右の側面１００８、１０１０から突出する高さと、上部３０が上面１００２から突出する高さは同一の寸法で形成され、外観性の向上が図られている。
２つの上面用壁面２２０２は、Ｖ字状の頂点を形成する膨出部２８の上部３０の２つの斜辺に設けられ、一対の側面用壁面２４０２は、コネクタ配置面１００６から離れた各側部３２の端部に設けられている。
本実施の形態では、筐体１０の上面１００２と膨出部２８とを接続する段差部２８Ａが、２つの上面用壁面２２０２を含んで構成され、この段差部２８Ａは、筐体１０の側面１００８、１０１０まで延在するとともに側面１００８、１０１０を下面１００４まで延在しており、したがって、段差部２８Ａは、側面用壁面２４０２を含んで構成されている。
すなわち、本実施の形態では、上面用案内部２２と一対の側面用案内部２４とを含む水滴案内部２０が段差部２８Ａで構成されている。
段差部２８Ａは、筐体１０を上方から平面視した場合に、コネクタ配置面１００６の上縁１００６Ａから遠ざかるにつれて細くなるよう形成されている。
また、段差部２８Ａは、コネクタ配置面１００６の上縁１００６Ａの中央で上縁１００６Ａに対して直交する仮想線Ｌ上に頂点を有している。
また、段差部２８Ａは、コネクタ配置面１００６の上縁１００６Ａの両端部に向けて延在している。
【００１４】
図３（Ａ）、（Ｂ）に示すように、下面用案内部２６は、筐体１０の下面１００４に設けられている。
下面用案内部２６は、段差部２８Ａ（一対の側面用案内部２４）により下方に案内された水滴をそれぞれ筐体１０の下面１００４から滴下させる箇所であり、段差部２８Ａ（一対の側面用案内部２４）に対応して一対設けられている。
下面用案内部２６は、コネクタ配置面１００６から後側面１０１２側に離れた筐体１０の下面１００４の箇所から下方に突設された突起３４を含んで構成されている。
したがって、段差部２８Ａにより案内され筐体１０の下面１００４に至った水滴は、コネクタ配置面１００６から離れた箇所で突起３４を伝って下方に滴下する。
突起３４は、水滴が滴下し易いように、言い換えると、水滴の滴下を強制的に促進して行なわせるように、下方に至るにつれて断面積が縮小する形状で形成され、本実施の形態では突起３４は、下方に凸の半球面状に形成されている。
【００１５】
さらに、本実施の形態では、段差部２８Ａにより案内され下面１００４に至った水滴を確実に滴下させるように、下面１００４には、筐体１０の下面１００４に至った水滴を突起３４に導く水滴案内路３６が設けられている。
したがって、段差部２８Ａは、側面１００８、１０１０の下方端から下面１００４に連続して形成され、下面１００２から下方に突設された突起３４を有している。
水滴案内路３６は、下面１００４に突出形成した突条や、下面１００４に形成した溝等で形成でき、この水滴案内路３６の先端に突起３４が位置している。
この場合、図３（Ｃ）に示すように、突起３４側に位置する水滴案内路３６の端部を水滴案内路３６の先端３６０２とし、この先端３６０２と反対に位置する水滴案内路３６の端部を基端３６０４とすると、水滴案内路３６の幅Ｗを基端３６０４から先端３６０２に向かうにつれて小さくすると、突起３４から水滴を確実に滴下させる上で有利となる。
あるいは、図３（Ｄ）に示すように、水滴案内路３６の下面１００４からの突出高さＨを、基端３６０４から先端３６０２に向かうにつれて次第に大きくすると、水滴を突起３４に確実に導く上で有利となり、突起３４から水滴を確実に滴下させる上で有利となる。
なお、水滴案内路３６を、下面１００４に形成した下方に開放状の溝で形成した場合には、溝の底面の下面１００４からの深さを、基端３６０４から先端３６０２に向かうにつれて次第に小さくすると、あるいは、溝の幅Ｗを基端３６０４から先端３６０２に向かうにつれて小さくすると、水滴を突起３４に確実に導く上で有利となり、突起３４から水滴を確実に滴下させる上で有利となる。
【００１６】
次に、筐体１０の作用、効果について説明する。
上述のように筐体１０は、上面１００２および下面１００４をほぼ水平にし、コネクタ配置面１００６を車両後方に向け、後側面１０１２を車両前方に向けてコンソールボックスの内部に配置されている。
飲み物や結露の水滴が開口部１６から離れた筐体１０の上面１００２に滴下した場合で、走行時の車両の振動により水滴が上面１００２上でコネクタ配置面１００６側に移動しようとした場合、あるいは、車両の加速時、水滴が上面１００２上でコネクタ配置面１００６側に移動しようとした場合、水滴は、段差部２８Ａを構成する上面用壁面２２０２により上面１００２上で開口部１６の両側方に導かれる。
そして、上面用壁面２２０２により案内された水滴は、段差部２８Ａを構成する一対の側面用壁面２４０２によりそれぞれ開口部１６の両側方の筐体１０の左右の側面１００８、１０１０に沿って下方に導かれ、開口部１６から離れた筐体１０の下面１００４の箇所から滴下する。
【００１７】
したがって、本実施の形態によれば、開口部１６から離れた筐体１０の上面１００２に滴下した水滴が上面１００２上を移動して開口部１６に至ることを阻止でき、水滴が開口部１６内に侵入することを阻止できる。
また、筐体１０を平面視した場合、段差部２８Ａを構成する上面用壁面２２０２をコネクタ配置面１００６の上縁１００６Ａと平行する直線状に延在させ、あるいは、上面用壁面２２０２をコネクタ配置面１００６の上縁１００６Ａと傾斜させた直線状に延在させてもよいが、本実施の形態のように、段差部２８Ａを、筐体１０を上方から平面視した場合に、コネクタ配置面１００６の上縁１００６Ａから遠ざかるにつれて細くなるよう形成すると、言い換えると、コネクタ配置面１００６の上縁１００６Ａと平行する方向の間隔を上縁１００６Ａから遠ざかるにつれて小さくなるよう形成すると、開口部１６から離れた筐体１０の上面１００２に滴下する水滴の量が多い場合であっても、上面用案内部２２により量の多い水滴を、開口部１６の両側方のうちの一方に移動させるのではなく、開口部１６の両側方に分散して上面１００２上を移動させるので、水滴が上面用案内部２２を乗り越えて開口部１６に至ることを阻止する上で有利となり、水滴が開口部１６内に侵入することを阻止する上で有利となる。
また、膨出部２８と段差部２８Ａを筐体１０に設けた簡単な構成で場所も取らないため、コンソールボックスの内部の狭いスペースにも筐体１０を簡単に設置でき、水滴の開口部１６内への侵入を阻止できる。
【００１８】
また、段差部２８Ａは、コネクタ配置面１００６から離れる方向に凸状でコネクタ配置面１００６の上縁１００６Ａの中央で上縁１００６Ａに対して直交する仮想線Ｌ上に頂点を有するＶ字状を呈しているので、段差部２８Ａは、上面１００２上に滴下する水滴の位置に応じてより近い側の左右の側面１００８、１０１０に水滴を導き、筐体１０の下面１００４から滴下することができる。
したがって、上面１００２上に滴下する水滴の量が多い場合であっても、水滴が上面１００２上を移動して開口部１６に至ることを効率良く阻止する上で有利となり、水滴が開口部１６内に侵入することを阻止する上で有利となる。
また、段差部２８Ａは、平面視した場合、コネクタ配置面１００６に近づく方向に凸状に形成してもよいが、本実施の形態のように、コネクタ配置面１００６から離れる方向に凸状に設けると、特に、加速時で上面１００２上に滴下する水滴の量が多い場合、量の多い水滴は開口部１６方向に移動しようとするが、水滴の勢いを利用して段差部２８Ａに沿わせて確実に開口部１６の側方に案内する上で有利となり、水滴が段差部２８Ａを乗り越えて開口部１６に至ることを効率良く阻止する上で有利となり、水滴が開口部１６内に侵入することを効率よく阻止する上で有利となる。
【００１９】
また、上面用案内部２２や一対の側面用案内部２４を筐体１０の上面１００２に形成した溝で構成したり、あるいは、筐体１０の上面１００２に多数の突起を並べることなどで構成してもよいが、本実施の形態のように、上面１００２から起立する上面用壁面２２０２と、左右の側面１００８、１０１０からそれぞれ起立する側面用壁面２４０２とで構成された段差部２８Ａを設けると、水滴が上面用案内部２２や一対の側面用案内部２４を乗り越えることを阻止する上で有利となる。
したがって、段差部２８Ａを設けることにより、上面１００２上に滴下した水滴を左右の側面１００８、１０１０に確実に導く上で有利となり、また、左右の側面１００８、１０１０に沿って下方に確実に導く上で有利となり、上面１００２上に滴下する水滴の量が多い場合であっても、水滴が上面１００２上を移動して開口部１６に至ることを効率良く阻止する上で有利となり、水滴が開口部１６内に侵入することを効率よく阻止する上で有利となる。
【００２０】
また、上面用壁面２２０２および側面用壁面２４０２を、それぞれ厚さを持たせて筐体１０の上面１００２および側面１００８、１０１０から突設させてもよいが、本実施の形態のように、筐体１０に膨出部２８を設け、膨出部２８を利用して上面用壁面２２０２および側面用壁面２４０２からなる段差部２８Ａを設けると、強度に優れる上面用壁面２２０２および側面用壁面２４０２すなわち段差部２８Ａを簡単に形成でき、水滴案内部２０を備える筐体１０の構造の簡単化を図る上で有利となる。
【００２１】
また、段差部２８Ａは、側面１００８、１０１０の下方端から下面１００４に連続して形成され、下面１００２から下方に突設された突起３４を有しているので、一対の側面用案内部２４により案内された水滴を効率良く筐体１０の下面１００４から滴下させることができ、水滴が開口部１６に至ることを効率良く阻止する上で有利となり、水滴が開口部１６内に侵入することを効率よく阻止する上で有利となる。
特に、コネクタ１４に接続されたケーブルが筐体１０の下方で車両前方に引き回され、筐体１０の下面１００４や下方にそれらケーブルが位置している場合、水滴がケーブルに付着することを阻止する上で有利となり、また、ケーブルを伝って水滴が他の機器などのコネクタに至ることを阻止する上で有利となる。
【００２２】
水滴を筐体１０の下面１００４から滴下させる下面用案内部２６は、溝などで構成してもよいが、下面１００４から下方に突出する突起３４で構成すると、水滴を下面１００４から効率的に滴下する上で有利となり、水滴が開口部１６に至ることを効率良く阻止する上で有利となり、水滴が開口部１６内に侵入することを効率よく阻止する上で有利となる。
【００２３】
なお、本実施の形態では、筐体１０が偏平な矩形板状を呈している場合について説明したが、筐体１０の形状には従来公知の様々な構造が採用可能である。例えば、コネクタ１４を露出させる開口部１６が設けられたコネクタ配置面１００６が長い場合には、上面１００２上に滴下した水滴は、上面用案内部２２（段差部２８Ａ）により開口部１６の両側方のコネクタ配置面１００６に向けて案内され、一対の側面案内部２４（段差部２８Ａ）により水滴は、開口部１６の両側方のコネクタ配置面１００６に沿って下方に導かれることになる。
また、本実施の形態では、本発明の電子制御ユニット収容用の筐体１０が車両に搭載された場合について説明したが、本発明の電子制御ユニット収容用の筐体は、例えば、鉄道車両、船舶、航空機、農機具、建設機械、パソコン、プリンタなど電子制御ユニットが用いられる物に広く適用される。
【符号の説明】
【００２４】
１０  筐体
１２  電子制御ユニット
１４  コネクタ
１００２  上面
１００４  下面
１００６  コネクタ配置面
１００８、１０１０  側面
１６  開口部
２０  水滴案内部
２２  上面用案内部
２２０２  上面用壁面
２４  側面用案内部
２４０２  側面用壁面
２６  下面用案内部
２８  膨出部
２８Ａ  段差部
３４  突起
Ｌ  仮想線
【図１】
2020161624.tif 000003
【図２】
2020161624.tif 000004
【図３】
2020161624.tif 000005